(57)【要約】　　　（修正有）【課題】液体容器にピペット等の注出具を挿通する際に、内溶液が外気に曝されたり、内部に異物が侵入したりするのを防止する。【解決手段】液体を収容するのに適した筒状に形成した中空容器体の口頸部の開口端部に抜け止め部材を嵌合可能に形成した容器本体２の口頸部２ａ内に、上下に摺動する環状の摺動部７ａと該摺動部に連接して注出装置８の先端部８ａが係合する係合筒部７ｃとを有する摺動部材７に、前記係合筒部７ｃの開口部に離接して開閉する弁部６ｃを有する３点支持構造の弁体６を嵌合、固定して形成した開閉弁４を摺動可能に嵌着すると共に、前記容器本体２の口頸部２ａの開口端部に、前記開閉弁４の脱落を防止する環状の抜け止め部材５を嵌合、固定して、更に、前記開閉弁４の係合筒部７ｃに係合して開口部を密閉する蓋体３を前記容器本体２の口頸部２ａに着脱自在に螺合するように構成して自動注出が可能な液体収容容器１を形成する。【選択図】　　　　図３
2004061469.tif 000002
【特許請求の範囲】
【請求項１】
液体を収容するのに適した中空の筒状をした容器体を形成して、該容器体の口頸部に密閉蓋体を着脱自在に螺合可能に形成すると共に口頸部の開口端部に抜け止め部材を嵌合可能に形成して、試薬等の溶液を収容可能な容器本体を形成して、試薬等の溶液が収容された前記容器本体の口頸部内に、容器本体の内周面に密着して上下に摺動する環状の摺動部と該摺動部に連接して注出装置の先端部が係合する係合筒部とを有する摺動部材に、前記係合筒部の開口部に離接して開閉する弁部を有する弁体を嵌合、固定して形成した開閉弁を摺動可能に嵌着すると共に、前記容器本体の口頸部の開口端部に、前記開閉弁の脱落を防止する環状の抜け止め部材を嵌合、固定して、更に、前記開閉弁の係合筒部に係合して開口部を密閉する蓋体を前記容器本体の口頸部に着脱自在に螺合してなることを特徴とする自動注出が可能な液体収容容器。
【請求項２】
前記摺動部材は、容器本体の内周面に密接するように断面がくの字状をした環状の摺動部と、該環状の摺動部の内側に立設して頂壁部を有する筒状部と、該頂壁部の内側に連接した注出装置の先端部を挿入して係合する係合筒部とから形成されてなることを特徴とする請求項１に記載する自動注出が可能な液体収容容器。
【請求項３】
前記係合筒部は、注出装置の先端部のノズル等の外周面に密接するようにテーパー状に形成されてなることを特徴とする請求項２に記載する自動注出が可能な液体収容容器。
【請求項４】
前記弁体は、前記摺動部材の筒状部に嵌合する嵌合筒部と、該嵌合筒部に連接した複数の支持片と、該支持片に上下動可能に支持された弁部とから形成されてなることを特徴とする請求項１に記載する自動注出が可能な液体収容容器。
【請求項５】
前記弁体は、前記嵌合筒部に３つの支持片により弁部が連接された３点支持構造の弁体から形成されてなることを特徴とする請求項１に記載する自動注出が可能な液体収容容器。
【請求項６】
前記開閉弁は、前記容器本体の内周面に密接する環状の摺動部の内側に連接した筒状部の頂壁部に係合筒部を連接して形成された摺動部材の筒状部に、前記３点支持構造の弁体の嵌合筒部を嵌合、固定して、前記弁体の弁部が前記係合筒部の開口部に離接可能に形成されてなることを特徴とする請求項１に記載する自動注出が可能な液体収容容器。
【請求項７】
前記蓋体は、容器本体の口頸部に可能に形成した蓋部の天板の内壁面に筒状片を突設して、前記摺動部材の係合筒部に係合可能に形成する共に、該筒状片の先端部を前記弁体の弁部に密着可能に成形してなることを特徴とする請求項１に記載する自動注出が可能な液体収容容器。
【発明の詳細な説明】
【０００１】
【発明の属する技術分野】
本願の発明は、各種の溶液を収容するのに適した中空状の容器本体と、該容器本体の口頸部内に摺動可能に開閉弁を嵌合すると共に、口頸部に螺着して開口部を密封する蓋体とからなる液体収容容器に係わるもので、特に、試薬や薬液その他の溶液を収容するのに適したバイアル壜等の容器本体の口頸部内にピペットその他の溶液注出具を係合可能な開閉弁を摺動可能に設けて、容器本体内に収容された内容液を自動的に注出するのに適した液体収容容器に関するものである。
【０００２】
【従来の技術】
従来から一般に用いられている各種の検査試薬等が収容されたバイアル壜等の収容容器から内部の試薬を注出して使用するには、前記容器の開口部を密閉した蓋体を取り除いて、容器本体の開口部を開放した状態にしてから、ピペット等の注出具の先端部を容器本体の口頸部内に挿入して、ピペット等に内溶液を吸い上げて注出する操作が行われている。
このようなピペット等の出し入れ操作により試薬を注出する容器としては、液体を収容するビン状に形成された容器本体と、該容器本体の口頸部に螺着または嵌着して密封する蓋体とからなる容器が広く用いられており、そして、開口部を開閉する密閉蓋体としては、容器本体の口頸部に開閉自在に設けられたヒンジ蓋あるいはネジ式の蓋が一般的に使用されている。
【０００３】
しかし、上記したような従来のバイアル壜等の容器に於いては、蓋体の蓋部分を開口させるか、容器本体の口頸部から取り外して、開放状態にしてから内溶液をピペット等で注出するものが一般的であるが、液体容器の開口部が開放された状態におかれると、容器本体の内部と外部とが直接に連通した状態になるので、外気の中の塵埃や雑菌等の異物が容器本体の開口部を通って容器本体の内部に侵入し易くなり、そして、異物が容器内部の試薬等に混入されると、試薬等の薬液が変質したり、雑菌が繁殖するおそれがある。
【０００４】
そこで、このような異物や雑菌が容器内に侵入することを防止した液体収容容器として、特開平５−９９９３１号や特開平７−９１０４０号公報等に見られるようなものが知られている。
前記の発明の薬液容器は、容器の蓋体の天板部に容器本体の内部に向けて突出した略円錐形状に形成されて、その先端部にスリットや開孔が形成されていて、挿入されるピペットの外周面に密着する円錐状の壁体が設けられていて、蓋体が容器本体に装着された状態のままにして、前記円錐状の壁体部に対してピペット先端の尖った部分等を突き刺して、開孔せしめて容器本体の内部にピペット等を挿入して、内溶液を吸い上げて注出するように形成された容器である。
【０００５】
しかし、上記した発明の容器に於いては、ピペットの外周面に密着する円錐状の壁体が蓋体の天板部に設けられていて、容器本体に装着された蓋体の天板部に外側からピペット先端部を前記円錐状の壁体に差し込まれて開孔またはスリットが形成されて、容器本体の内に連通するように形成されている。
従って、前記蓋体が容器本体に装着された状態であっても、円錐状の壁体の開孔やスリットが外気に露出されたままになるので、蓋体を容器本体に装着した状態にして試薬等が入った容器を長時間保存しておくと、円錐状の壁体の開孔やスリットから容器本体の内部に外気中の異物や雑菌が侵入するおそれがある。
【０００６】
そして、上記したような発明の容器に於いては、容器本体に蓋体が被着された状態であっても、容器を転倒させたり、傾けたりした場合には、内部の試薬等が前記円錐状の壁体の開孔やスリットから容器の外に漏出するおそれもあり、また、上記のような容器は、前記円錐状の壁体を蓋体に保持するためには複雑な支持構造にする必要があり、その製造コストの低減が困難である。
【０００７】
ところで、最近に於ける各種の検査技術や検査装置等の進歩に伴って、分析技術の分野に於いても、多種多様な高度の分析が求められるようになり、分析精度の高度化と均質化および分析時間の短縮化等の面から、一度に多数の試料が分析できるようにした分析装置が機械化、自動化が行われてきている。
そのような中にあって、各種の試薬や薬液を上記した発明に見るような容器に収容したものは、特公平５−７９９４４号や特開平５−２３２１２４号公報に記載されるように、分析するための滴定工程が機械化された自動滴定装置に適用して使用することはできない。
【０００８】
そこで、上記した発明その他の自動滴定装置を備えた分析装置にも簡単に適用することができる液体収容容器、特に、容器内に収容されている試薬や薬液等を使用しようとして注出する際に、容器本体内に収容されている薬液に外気中の異物や雑菌が侵入することがなくて、構造が簡単で安価に製造可能にした薬液容器の開発が望まれている。
【０００９】
【発明が解決しようとする課題】
本願の発明は、上記したような薬液容器等に於ける問題点を解決するために創案されたものであって、試薬その他の薬液を収容した容器に於いて、不使用時には、容器本体の口頸部に着脱自在に螺合した蓋体により開口部に設けた開閉弁が閉じられて、内容液に外気が触れることがない状態に保たれて、また、使用時には、容器本体内に挿入されたピペット等の注出具の外側面が容器本体内に摺動可能に設けた開閉弁に密着して、内溶液が外気に触れないように遮断された状態で注出可能に形成されて、長い時間不使用な状態が経過しても変質するようなことがないようすると共に、不使用時にも内部に異物や雑菌が侵入するおそれがないようにして、また、何らかの原因で容器が転倒されたとしても、試薬等の内容液が容器の外に漏出しないように確実に密閉することができて、開閉弁の構造を簡単にして安価に製造することができる液体収容容器を提供する。
【００１０】
【課題を解決するための手段】
上記したような目的を達成するために、本願の発明は、液状の内容物を収容するのに適した円筒状に形成された中空の容器本体と、該容器本体の口頸部に螺着して開口部を密閉する蓋体とからなる液体収容容器に於いて、前記容器本体の内周面に密接して上下方向に摺動する筒状をした摺動部と、該摺動部に連接してピペット等の注出具の先端部の外周面に密着して係合するテーパー状の係合筒部とからなる摺動部材を形成すると共に、前記摺動部材の摺動部に嵌合する円筒部と該円筒部に３つの支持片により連結されて前記係合筒部の開口部を開閉可能に密閉する弁部からなる３点支持構造の弁体を形成して、前記３点支持の弁体を前記摺動部材の摺動部の内周面に嵌合、密着せしめて摺動可能な開閉弁を形成して、試薬その他の薬液を収容した前記容器本体の口頸部内に前記した開閉弁を摺動可能に嵌合して、口頸部の端部に前記開閉弁が抜け出るのを防止する環状の抜け止め部材を嵌着すると共に、口頸部に蓋体を着脱自在に螺着して液体収容容器を構成する。
【００１１】
【発明の実施の形態】
本願発明の液体収容容器は、試薬や薬液その他の溶液を収容するのに適した円筒状をした容器本体２を形成すると共に、前記容器本体２の口頸部２ａには開口部を密閉する蓋体５を着脱自在に螺着可能に形成して、更に、前記口頸部２ａの開口端部には、容器本体２内に摺動可能に設けられた注出装置が係合する開閉弁が脱落するのを防ぐための抜け止め部材を嵌合、固定可能に形成して、内溶液を注出可能な液体収容容器１を構成する。
【００１２】
上記した液体収容容器１に於ける開閉弁は、前記容器本体２の円筒状の内周面に密接して上下に摺動する筒状の摺動部と、該摺動部に連接したピペット等の注出装置の先端部の外周面が密接に係合するテーパー状の係合筒部とからなる摺動部材を形成すると共に、前記筒状の摺動部に嵌合可能な嵌合筒部に３つの支持片により弁部を変動可能に支持した３点支持構造の弁体を形成して、該弁体を前記摺動部材に嵌合、固定して容器本体内に摺動可能な開閉弁を形成する。
【００１３】
上記のように形成した開閉弁を、試薬や薬液等が収容された容器本体２の口頸部の筒状の内周面に摺動可能に嵌合せしめてから、前記容器本体２の開口端部に前記開閉弁の抜け止め部材を嵌合、固定した後に、容器本体２の口頸部２ａに蓋体５を螺着して密閉することにより、ピペット等の注出装置を備えた自動分析装置に於いて試薬等の自動注出を可能にした液体収容容器１を構成する。
【００１４】
上記のように構成された液体収容容器１は、蓋体を取り外しからピペット等８の自動注出装置を備えた自動分析装置にセットすると、自動的に所定位置に移動してピペット等の先端部８ａが容器本体２の口頸部内に挿入されて、ピペット等８の外周面に前記摺動部材の係合筒部７ｃが密接すると共に、ピペツトの先端開口部８ｂが前記開閉弁４の変動可能な弁部６ｃに当接して、ピペツトにより弁部６ｃを押し下げることにより内溶液が注出可能となる。
そして、容器本体２の内部と外部とは、ピペツトの外面が前記係合筒部と開閉弁に密接して密閉状態に遮断されるように形成して、外気中の塵埃や細菌等の異物が容器本体２の内部に侵入するのを防止する。
【００１５】
【実施例】
以下に、本願の発明について、最適な一つの実施例に基づいて、図面を参照しつつ詳細に説明する。
本願発明の試薬や薬液等を収容する液体容器は、図２に示すように、合成樹脂を射出成形して液状の内容物を収容するのに適した円筒状の容器本体２を成形すると共に、前記容器本体の口頸部２ａの外周面には密閉蓋体３を着脱自在に螺合するネジ部を成形して、同時に、口頸部２ａの開口端部には容器本体２内に摺動可能に設けた開閉弁４の脱落を防止する環状の抜け止め部材５を嵌合、固定可能に成形することにより、液体を収容可能な容器本体２を形成する。
【００１６】
続いて、前記容器本体の内周面に密接して上下方向に摺動可能な前記開閉弁４を形成するために、先ず、合成ゴムその他の軟質の合成樹脂を射出成形して、図３に示すように、容器本体２の内周面に密接して上下に摺動する断面が外向きのくの字状をした筒状の摺動部７ａと、該筒状の摺動部の内側に立設した筒体の頂壁部７ｂと、その内側に連接して注出具先端部の外周面が密接するテーパー状の係合筒部７ｃとからなる摺動部材７を成形して、容器本体の口頸部２ａ内周面に摺動可能に嵌合できるように形成する。
【００１７】
同様に軟質の合成樹脂を射出成形して、図１に示すように、前記摺動部材７の摺動部７ａの筒状部に嵌合、固定される嵌合筒部６ａと、その下端部に連接した３つの支持片６ｂにより上下に変動可能に支持した弁部６ｃとからなる３点支持構造をした弁体６を成形する。
そして、前記３点支持構造の弁体６を上記摺動部材７の筒状摺動部７ａ内に嵌合すると共に、前記テーパー状の係合筒部７ｃの開口端部に前記弁部６ｃが密着するように固定して、図２に示すように、容器本体２の口頸部２ａ内に摺動可能な開閉弁４を構成する。
【００１８】
また、同様に合成樹脂を射出成形して、蓋体の筒状側壁３ａを前記容器本体の口頸部２ａのネジ部に螺合可能に形成すると共に、蓋体の天板３ｂの内面に前記摺動部材７の係合筒部７ｃに係合する筒状片３ｃを突設して、前記筒状片３ｃの先端部が前記弁体６の弁部６ｃに密着するように成形して、図２に示すような密閉蓋体３を形成する。
上記のように構成された開閉弁４を、前記した容器本体２内に試薬その他の薬液を充填、収容した容器本体の口頸部２ａ内に摺動可能に嵌合せしめた後、該容器本体の口頸部２ａの開口端部に前記環状の抜け止め部材５を嵌合、固定してから、前記した密閉蓋体３を前記容器本体の口頸部２ａに螺着、密閉して、図２に示すような試薬や薬液等が収容された液体収容容器１を構成する。
【００１９】
上記のように構成された本願発明の液体収容容器１を使用するには、蓋体３を取り除いた容器本体２を、図３に示したように、自動分析装置等に於ける試薬等の供給部の容器装着台９に装着する。
そして、特開昭６２−１９１０４９号や特開平８−１４６０１２号公報その他に見られる注出装置８の自動吸引ピペット等の先端部８ａを前記容器本体２の開口部に挿入せしめて、該注出装置の先端部８ａの外周面が前記摺動部材７のテーパー状をした係合筒部７ｃに接すると共に、前記注出装置８の先端開口部８ｂに前記開閉弁４の弁部６ｃを密着して、注出操作が可能な状態にして固定する。
【００２０】
上記のようにして、注出操作が可能な状態に置かれた液体収容容器１は、分析等の作業が開始されると、前記装着台９の下部に設けられたモータ等の駆動装置１０により上方へ押し上げて供給されるようになっている。
このようにして、液体が収容された容器本体２の底部２ｂが駆動装置１０に連結された可動ロッド１０ａにより押し上げられると、図４に示したように、前記した摺動可能な開閉弁４は、相対的にピペット等の注出装置８の先端部８ａにより押し下げられた状態になるので、前記した３点支持構造の弁体６の弁部６ｃが内溶液内に押し込まれる。
【００２１】
その結果、前記弁体６の支持片６ｂの隙間から内溶液が溢れ出て、開閉弁４の空間部は内溶液で満たされることになり、溢れ出てきた内溶液はピペット等の注出装置８の先端部８ａの開口部８ｂを通して吸い上げ可能になるので、内容液は注出装置８により必要な量が吸引されて、自動的に滴定部へ給送して注出されて滴定等の検定作業が行われることになる。
【００２２】
このようにして滴定等の検定作業が終わると、駆動装置１０による可動ロッド１０ａの上昇が停止されると共に、ピペット等の注出装置８の吸引操作も中止されることになる。
そこで、注出装置の先端部８ａを少し後退させると、図３に示すように、３点支持構造の弁体６の弁部６ｃの中央部分がピペット等の開口部８ｂに密着して塞ぐと共に、周縁部分が摺動部材７のテーパー状の係合筒部７ｃの先端に密着して係合筒部の開口端を塞いだ状態になって、容器本体２の内部と外部との間は密閉状態に遮断されるので、外気中の塵埃や細菌等の異物が容器本体２の内部に侵入するようなこともなくて、容器内の溶液は保存可能な状態で保たれる。
【００２３】
上記したように、本願発明の液体収容容器１は、不使用時には図３に見られるように、蓋部の天板３ｂに突設した筒状片３ｃが容器本体２内に嵌合された摺動部材７の係合筒部７ｃに係合すると共に、該筒状片７ｃの先端が３点支持弁体６の弁部６ｃに密着するように、蓋体３を容器本体２の口頸部２ａに螺合して密閉されているので、容器本体２の内部に外気が侵入するのが遮断されて、また、何らかの原因で容器が傾いたり、倒れたりした場合にも、内溶液が漏洩するようなこともない。
【００２４】
また、本願発明の液体収容容器１は、使用時には図４に見られるように、蓋体３が取り除かれた容器本体２の開口部には、ピペット等の注出装置の先端部８ａが挿入されて、該注出装置８の外周面が容器本体２の開口部に嵌合された摺動部材７のテーパー状の係合筒部７ｃに密接されると共に、該注出装置８の先端の開口部８ｂには前記３点支持弁体６の弁部６ｃが密着して密閉されているので、容器本体２の内部に外気が侵入するのが遮断されると共に、内溶液が漏洩するのが防止される。
【００２５】
尚、本願の発明は、上述した実施例のようにネジ蓋を用いて密閉したものに限定されるものではなくて、ヒンジ形式の蓋体やその他の蓋体を用いたものにも適用することは可能である。
そして、ピペット等の注出装置の外周面に開閉弁を密着させて外気と容器本体内部との間を遮断して、外気中の塵埃や細菌等の異物や空気の酸素が容器内に流入するのを防止するようにしたので、容器の内容物が汚れたり、酸化したりするようなことがなくなり、必要に応じて注出操作を中断しても綺麗な状態で保存が可能になる。
【００２６】
【発明の効果】
以上、説明したように、本願発明の試薬等を収容した液体容器は、不使用時には、容器本体の口頸部に螺着された蓋体の筒状片が開閉弁に密着して確実に密封されており、長い時間使用せずに放置されたとしても、容器本体の内部に細菌等の異物が侵入するのを防止することができて、また、使用時あるいは使用中断時には、容器本体の内部に挿入されたピペット等の注出具の先端部が開閉弁に密着して確実に密封されているので、内溶液は長期の保存が可能である。
【図面の簡単な説明】
【図１】本願発明の開閉弁に用いた３点支持構造の弁体を示す平面図である。
【図２】本願発明の開閉弁を装着した液体収容容器を示す断面図である。
【図３】本願発明の液体収容容器を分析装置等に装着した状態を示す断面図である。
【図４】分析装置等に装着した液体収容容器から注出する状態を示す断面図である。
【符号の説明】
１．　　液体収容容器
２．　　容器本体
２ａ．　口頸部
３．　　蓋体
４．　　摺動可能な開閉弁
５．　　抜け止め部材
６．　　弁体
７．　　摺動部材
８．　　注出装置
９．　　容器装着台
１０．　駆動装置
【図１】
2004061469.tif 000003
【図２】
2004061469.tif 000004
【図３】
2004061469.tif 000005
【図４】
2004061469.tif 000006